(57)【要約】【課題】コンパクトに収納することが可能なヘアドライヤーを提供する。【解決手段】折りたたみ式のヘアドライヤー１０は本体部１２と持ち手部１８とで構成され、持ち手部１８が、電源コード２４が接続されている側の端部が本体部１２に近接する収納時の位置と、本体部１２から離反する使用時の位置とに変位可能であり、収納時位置にあるときに、送風口の開口縁部によって形成される第一の設置面３２と略同一平面上にある第二の設置面３４を備える。第一の設置面３２と第二の設置面３４は略同一平面上にあるため、ヘアドライヤー１０は２つの設置面を支点として自立することが可能であり、収納時に安定した姿勢を保つことができる。【選択図】図３
0003200917.tif 000002
【実用新案登録請求の範囲】
【請求項１】
吸入口から送風口に向けて空気の流れを形成するファンと、前記吸入口から前記送風口に流れる空気に加熱するヒータとを備える本体部と、前記ファンと前記ヒータに電気を供給するための電源コードと、電気の供給量を制御するスイッチとを備える持ち手部とで構成されるヘアドライヤーにおいて、
前記持ち手部が、前記電源コードが接続された側の端部が前記本体部に近接する収納時位置と前記本体部から離反する使用時位置とに変位可能であり、前記収納時位置にあるときに、前記送風口の開口縁部によって形成される第一の設置面と略同一平面上にある第二の設置面を備えることを特徴とする、
ヘアドライヤー。
【請求項２】
前記送風口が、空気の流れる方向において開口面積が漸増する形状であることを特徴とする、
請求項１に記載のヘアドライヤー。
【請求項３】
前記第二の設置面が、前記持ち手部に前記電源コードを前記本体部の後方に向けて接続するための連結部に形成されていることを特徴とする、
請求項１または２に記載のヘアドライヤー。
【請求項４】
前記送風口の内側に着脱可能な集風ノズルを備え、前記集風ノズルを所定の位置に装着したときに、前記第一の設置面と略同一平面上もしくは内側に前記集風ノズルの先端が位置することを特徴とする、
請求項１乃至３の何れかに記載のヘアドライヤー。
【考案の詳細な説明】
【技術分野】
【０００１】
本考案は、収納時に自立する折りたたみ式ドライヤーに関する。
【背景技術】
【０００２】
家庭用のヘアドライヤーは、その多くが持ち手の部分が本体に対して可動式になっており、収納時にコンパクトに折りたたむことができる構造である。しかし、折りたたんでコンパクトになったヘアドライヤーもそのまま寝かせた状態で保管しておかれることがほとんどであるため、ドレッサー周りが雑然とした印象を与えてしまいがちである。このような問題を解決するために、例えばビジネスホテル等では専用のホルダーを壁面に設け、ヘアドライヤーを機能的に収納できるように工夫している。また、一般家庭ではカゴやバスケット等にヘアブラシ等の整髪具とまとめて収納し、使い勝手と見た目の綺麗さとを両立させる工夫をしているところもある。さらには、ヘアドライヤーに専用のスタンドを付属し、収納時にスタンドに立て掛けて収納することができるように工夫された商品も市販化されている。
【先行技術文献】
【特許文献】
【０００３】
【特許文献１】特開２００１−１２８７２７号公報
【特許文献２】特開２００２−２８０２２号公報
【考案の概要】
【考案が解決しようとする課題】
【０００４】
前述したように、ビジネスホテル等では所定の位置に設置された専用のホルダーにヘアドライヤーを収納するようになっているところが多いが、これは不特定多数の滞在客に対して収納場所の分かり易さを含めたサービスを提供しなければならないという目的や、盗難防止というホテル特有の理由があってのことであり、一般家庭にそのまま適用できる手法であるとは言い難い。またカゴなどの小物入れに収納する場合、ヘアドライヤー自体よりも大きなカゴ等が必要になるため、ワンルームマンションのような必要最小限のスペースしかないドレッサー周りの空間に常時置いておくことは難しい。専用のスタンドにはヘアドライヤーの送風口を挿入して立て掛けるタイプのものが多く、カゴ等に比べるとコンパクトではあるが、ヘアドライヤー本体とは独立しているために紛失しやすいという問題がある。
【０００５】
本考案は、専用のホルダーやスタンドを使用することなくコンパクトに収納することが可能なヘアドライヤーを提供することを目的とする。
【課題を解決するための手段】
【０００６】
前述した課題を解決するため、本考案は以下に示す要素によって構成されるヘアドライヤーを提供する。
【０００７】
ヘアドライヤーの第１の態様は、吸入口から送風口に向けて空気の流れを形成するファンと、前記吸入口から前記送風口に流れる空気に加熱するヒータとを備える本体部と、前記ファンと前記ヒータに電気を供給するための電源コードと、電気の供給量を制御するスイッチとを備える持ち手部とで構成されるヘアドライヤーにおいて、前記持ち手部が、前記電源コードが接続された側の端部が前記本体部に近接する収納時位置と前記本体部から離反する使用時位置とに変位可能であり、前記収納時位置にあるときに、前記送風口の開口縁部によって形成される第一の設置面と略同一平面上にある第二の設置面を備えることを特徴とする。
【０００８】
ヘアドライヤーの第２の態様は、前記第１の態様において、前記送風口が、空気の流れる方向において開口面積が漸増する形状であることを特徴とする。
【０００９】
ヘアドライヤーの第３の態様は、前記第１または第２の態様において、前記第二の設置面が、前記持ち手部に前記電源コードを前記本体部の後方に向けて接続するための連結部に形成されていることを特徴とする。
【００１０】
ヘアドライヤーの第４の態様は、前記第１乃至第３の何れかの態様において、前記送風口の内側に着脱可能な集風ノズルを備え、前記集風ノズルを所定の位置に装着したときに、前記第一の設置面と略同一平面上もしくは内側に前記集風ノズルの先端が位置することを特徴とする。
【考案の効果】
【００１１】
前述したヘアドライヤーの構成により、本考案は以下の効果を奏する。
【００１２】
ヘアドライヤーの第１の態様によれば、持ち手部を折りたたんだ状態にしたときに略同一平面上になる第１の設置面と第２の設置面によって送風口側を下向きにした姿勢で自立させることが可能になる。そのため比較的狭いスペースであってもヘアドライヤーを綺麗に収納することができる。
【００１３】
ヘアドライヤーの第２の態様によれば、送風口はテーパ状に拡がって開口し、開口縁部によって形成される設置面の内側の面積が通常のヘアドライヤーに比べて格段に大きくなるため、ヘアドライヤー１０を自立させても転倒せずに安定した姿勢を保つことができる。
【００１４】
ヘアドライヤーの第３の態様によれば、電源コードの接続部分が第１の設置面および第２の設置面より下側になることがないため、収納時に接続部分に無理な外力が加わらず、被膜破損や断線等を未然に防止することができる。
【００１５】
ヘアドライヤーの第４の態様によれば、送風口の内側に集風ノズルを装着したまま自立させることが可能になるため、集風ノズルを取り外した際の置き場所に困らず、また集風ノズルの紛失も起こりにくくなる。
【図面の簡単な説明】
【００１６】
【図１】ヘアドライヤーの外観図
【図２】ヘアドライヤーの使用時の状態を示す側面図
【図３】ヘアドライヤーの収納時の状態を示す側面図
【考案を実施するための形態】
【００１７】
以下、添付した図面を参照して本考案の実施の形態について説明する。最初に、ヘアドライヤーの基本的な構造について説明する。図１に示すヘアドライヤー１０は、本体部となる筒型の筐体１２の一方の端部に吸入口１４、他方の端部に送風口１６を備える。筐体１２の吸入口１４側には持ち手部１８が装着されている。持ち手部１８は片手で握りやすいように曲面をあしらった細長い形状をしており、その一方の端部が筐体１２の下側に突出した連結部２０に軸（図示せず）を介して回動可能に固定されている。持ち手部１８の他方の端部には連結部２２を介して電源コード２４が接続されている。持ち手部１８は本体部に対して折りたたみ可能であり、使用時には他方の端部が本体部から離反する位置に変位し、収納時には本体部に近接する位置に変位する。
【００１８】
筐体１２の内側には、熱源発生装置と送風装置と安全装置と付加機能装置が適宜配置されている。熱源発生装置は、ニクロム線（図示せず）に電気を流すことで熱を発生させる。熱の量や温度はニクロム線を太くしたり多くしたりして出力を調整する。出力調整は持ち手部１８に設けられているスイッチ２６の操作によって行う。
【００１９】
送風装置は、小型モータに駆動されるファンによって吸入口１４から吸入した空気を送風口１６に送り出す風の流れを形成する。この風によって熱源発生装置で発生した熱を送風口１６に送り、毛髪に熱風を吹き付ける。
【００２０】
安全装置は、ショートによる過電流などが起きた場合にサーモスタットや温度ヒューズ等によって電源を切断する。また温度が急激に上がり過ぎないように温度過昇自動防止機能などを付加することもできる。
【００２１】
付加機能装置は、マイナスイオン、オゾン、遠赤外線、水蒸気（ミスト）など毛髪や頭皮を保護したり育毛を助長させる機能を有している。
【００２２】
送風口１６の内側には集風ノズル３０が装着されている。集風ノズル３０は、先端部が送風口１６の開口縁部が形成する面と略同一平面上もしくは前記面より内側に位置し、所定の位置に装着した状態において送風口１６の外側に突出しないようになっている。集風ノズル３０は、ヘアドライヤー１０の使用状況に応じて着脱可能であり、装着したままの状態で自由な角度に回転変位させることが可能である。
【００２３】
次に、ヘアドライヤーが自立するための構造上の特徴について説明する。図２のヘアドライヤー１０は持ち手部１８を折りたたんだ状態である。ヘアドライヤー１０は持ち手部１８を折りたたんだ状態にすると、送風口１６を下側にした姿勢でドレッサーや棚などに自立させて収納することができる。送風口１６は空気の流れる方向において開口面積が漸増する形状であり、図２においては下側に向かってテーパ状に拡がって開口しているため、開口縁部によって形成される設置面３２の内側の面積が通常のヘアドライヤーに比べて格段に大きくなっている。そのため、ヘアドライヤー１０は設置面３２を下側にして自立させても転倒せずに安定した姿勢を保つことができる。電源コード２４は連結部２２を介して持ち手部１８の後方約９０度の位置に取り付けられており、設置面３２より下側になることがないため、ヘアドライヤー１０の自立を妨げることはない。また、連結部２２の下部は平坦な面を有する設置面３４になっており、設置面３２と略同一平面上にあるため、ヘアドライヤー１０は設置面３２と設置面３４の２つの設置面を支点として安定した姿勢を保つことができる。なお、設置面３２を主な設置面とし、設置面３４を補助的な設置面として自立することも可能である。
【符号の説明】
【００２４】
１０  ヘアドライヤー
１２  筐体（本体部）
１４  吸入口
１６  送風口
１８  持ち手部
２０  連結部
２２  連結部
２４  電源コード
２６  スイッチ
３０  集風ノズル
３２  設置面（第一の設置面）
３４  設置面（第二の設置面）
【図１】
0003200917.tif 000003
【図２】
0003200917.tif 000004
【図３】
0003200917.tif 000005